(57)【特許請求の範囲】
【請求項１】
原稿読取部と、
前記原稿読取部と対向する位置に設けられた原稿カバーと、
前記原稿カバーに設けられた当接部と、
前記原稿カバーに対して着脱可能に設けられた複数の裏当て部材と、
前記複数の裏当て部材を連結し、且つ、前記当接部に当接する連結部と、を有し、
前記複数の裏当て部材のそれぞれは、前記原稿読取部と対向する反射率の異なる面を有する、
ことを特徴とする原稿読取装置。
【請求項２】
前記連結部は、前記複数の裏当て部材のそれぞれに形成された貫通孔に貫通させることにより前記複数の裏当て部材を連結するリング部材であり、
前記当接部は、前記リング部材を係止させる係止部材である、請求項１に記載の原稿読取装置。
【請求項３】
前記原稿カバー又は前記複数の裏当て部材の内の一方は、磁石部材を有し、
前記原稿カバー又は前記複数の裏当て部材の内の他方は、前記原稿カバー又は前記複数の裏当て部材の内の一方と引き付けあう磁石部材又は磁性部材を有する、請求項２に記載の原稿読取装置。
【請求項４】
前記連結部は、前記複数の裏当て部材を貼り付けることにより前記複数の裏当て部材を連結し、且つ、貫通孔が形成された可撓性のシート部材であり、
前記当接部は、前記貫通孔に貫通させる突起部材である、請求項１に記載の原稿読取装置。
【請求項５】
前記原稿カバーの一部又は前記連結部の内の一方は、磁石部材であり、
前記原稿カバーの一部又は前記連結部の内の他方は、前記原稿カバーの一部又は前記連結部の内の一方と引き付けあう磁石部材又は磁性部材である、請求項４に記載の原稿読取装置。
【請求項６】
前記貫通孔の円周部分には、保護部材が設けられる、請求項２〜５の何れか一項に記載の原稿読取装置。
【発明の詳細な説明】
【技術分野】
【０００１】
本開示は、原稿読取装置に関し、特に、裏当て部材を有する原稿読取装置に関する。
【背景技術】
【０００２】
一般に、原稿を読み取って画像データを生成するスキャナ等の原稿読取装置では、読み取った画像データから原稿の領域を正しく特定できるように、原稿をはさんで原稿読取部の反対側に、原稿の背景色とは異なる色を有する裏当て部材が設けられている。このような原稿読取装置において、それぞれ異なる色を有する複数の原稿について各原稿の領域を正しく特定するためには、それぞれ異なる色を有する複数の裏当て部材が必要となる。【０００３】
本体の原稿台ガラス上に載置された原稿をその原稿台ガラス上に密着させる密着面を２面有する圧着部材が着脱自在に備えられた原稿読取装置が開示されている。この原稿読取装置では、読み取る原稿の種類に応じて、原稿を圧着する面の色を選択的に変えることができるように、この２面の密着面は、それぞれ異なる色で構成される（特許文献１を参照）。
【先行技術文献】
【特許文献】
【０００４】
【特許文献１】特開２００３−７５９３９号公報
【発明の概要】
【０００５】
複数の裏当て部材を有する原稿読取装置では、読み取る原稿の背景色に応じて、使用する裏当て部材をより柔軟に変更できることが望まれている。
【０００６】
原稿読取装置の目的は、複数の裏当て部材をより柔軟に変更することを可能とすることにある。
【０００７】
本実施形態の一側面に係る原稿読取装置は、原稿読取部と、原稿読取部と対向する位置に設けられた原稿カバーと、原稿カバーに設けられた当接部と、原稿カバーに対して着脱可能に設けられた複数の裏当て部材と、複数の裏当て部材を連結し、且つ、当接部に当接する連結部と、を有し、複数の裏当て部材のそれぞれは、原稿読取部と対向する反射率の異なる面を有する。
【０００８】
本実施形態によれば、原稿読取装置は、複数の裏当て部材をより柔軟に変更することが可能となる。
【０００９】
本発明の目的及び効果は、特に請求項において指摘される構成要素及び組み合わせを用いることによって認識され且つ得られるだろう。前述の一般的な説明及び後述の詳細な説明の両方は、例示的及び説明的なものであり、特許請求の範囲に記載されている本発明を制限するものではない。
【図面の簡単な説明】
【００１０】
【図１】第１実施形態に従った原稿読取装置の一例の構成図である。
【図２Ａ】複数の裏当て部材１０３及びリング部材１０４の斜視図である。
【図２Ｂ】複数の裏当て部材１０３及びリング部材１０４の平面図である。
【図２Ｃ】図２ＡのＢ−Ｂ’線断面図である。
【図３】図２Ｃの領域Ｒの拡大図である。
【図４】筐体１０１から外した原稿カバー１０２を下側から見た斜視図である。
【図５】原稿カバー１０２及び複数の裏当て部材１０３の模式図である。
【図６Ａ】係止部材１０２ｂ及びリング部材１０４の模式図である。
【図６Ｂ】係止部材１０２ｂ及びリング部材１０４の模式図である。
【図６Ｃ】係止部材１０２ｂの他の例について説明するための模式図である。
【図７】図１のＡ−Ａ’線断面図である。
【図８】原稿読取装置１００の概略構成を示すブロック図である。
【図９】第２実施形態に従った原稿読取装置の一例の構成図である。
【図１０Ａ】複数の裏当て部材２０３及びシート部材２０４の平面図である。
【図１０Ｂ】図１０ＡのＤ−Ｄ’線断面図である。
【図１１】筐体２０１から外した原稿カバー２０２を下側から見た斜視図である。
【図１２】原稿カバー２０２及び複数の裏当て部材２０３の模式図である。
【図１３】図１２のＥ−Ｅ’線断面図である。
【図１４】図９のＣ−Ｃ’線断面図である。
【発明を実施するための形態】
【００１１】
以下、本開示の一側面に係る原稿読取装置について図を参照しつつ説明する。但し、本開示の技術的範囲はそれらの実施の形態に限定されず、特許請求の範囲に記載された発明とその均等物に及ぶ点に留意されたい。
【００１２】
（第１実施形態）
図１は、第１実施形態に従った原稿読取装置の一例の構成図である。
【００１３】
本実施形態の原稿読取装置は、イメージスキャナ等の原稿読取装置１００として構成される。図１において原稿読取装置１００は、斜視図で描かれている。
【００１４】
原稿読取装置１００は、筐体１０１、原稿カバー１０２、複数の裏当て部材１０３及びリング部材１０４等を有する。
【００１５】
筐体１０１は、上面１０１ａに、ガラス板１０１ｂ及び凹部１０１ｃ等を有する。
【００１６】
ガラス板１０１ｂは、読取対象である原稿を載置する部材である。
【００１７】
凹部１０１ｃは、上面１０１ａにおいてガラス板１０１ｂが配置されていない位置であり、且つ、原稿カバー１０２が閉じられたときにリング部材１０４に対向する位置に設けられる。原稿カバー１０２が閉じられたときにリング部材１０４は凹部１０１ｃ内に納まるため、裏当て部材１０３がガラス板１０１ｂに適切に接することが可能となる。
【００１８】
原稿カバー１０２は、筐体１０１に対して開閉可能に設けられ、開いた状態では筐体１０１の上面１０１ａに原稿を載置可能となり、閉じた状態では下面１０２ａがガラス板１０１ｂの下部（筐体１０１内）に設けられた撮像ユニットと対向する。
【００１９】
複数の裏当て部材１０３は、原稿カバー１０２の下面１０２ａに、原稿カバー１０２に対して着脱可能に設けられる。
【００２０】
リング部材１０４は、連結部の一例であり、複数の裏当て部材１０３を連結する。
【００２１】
図２Ａ、２Ｂ、２Ｃは、複数の裏当て部材１０３及びリング部材１０４について説明するための図であり、原稿カバー１０２から取り外された状態の複数の裏当て部材１０３及びリング部材１０４を示す。図２Ａは複数の裏当て部材１０３及びリング部材１０４の斜視図であり、図２Ｂは複数の裏当て部材１０３及びリング部材１０４の平面図であり、図２Ｃは、図２ＡのＢ−Ｂ’線断面図である。
【００２２】
図２Ａ、２Ｂ、２Ｃに示すように、複数の裏当て部材１０３は、三枚の裏当て部材１０３を有する。複数の裏当て部材１０３の枚数は、二枚以上であれば何枚でもよい。各裏当て部材１０３は、平面状に形成され、一辺に突片部１０３ｂが形成された略矩形の形状を有する。突片部１０３ｂの数は、一つ以上であればいくつでもよい。各突片部１０３ｂには、貫通孔１０３ｃが形成されている。各貫通孔１０３ｃの円周部分には、貫通孔１０３ｃの摩耗又は損傷を防止するために、カシメ、シール、プラスチック等の保護部材１０３ｄが設けられている。
【００２３】
リング部材１０４は、Ｄリング形状を有し、各裏当て部材１０３に形成された貫通孔１０３ｃに貫通させることにより、各裏当て部材１０３を連結する。
【００２４】
図３は、各裏当て部材１０３について説明するための図であり、図２Ｃの領域Ｒの拡大図である。
【００２５】
図３に示すように、各裏当て部材１０３は、第１裏当て面１０３ｅ、第２裏当て面１０３ｆ及び磁石部材１０３ｇを有する。第１裏当て面１０３ｅ及び第２裏当て面１０３ｆは、磁石部材１０３ｇをはさむように設けられる。複数の裏当て部材１０３の各第１裏当て面１０３ｅ及び第２裏当て面１０３ｆの磁石部材１０３ｇと対向しない側の面は、原稿カバー１０２が閉じられた状態でガラス板１０１ｂを介して撮像ユニットと対向するように原稿カバー１０２に装着され得る。複数の裏当て部材１０３の各第１裏当て面１０３ｅ及び第２裏当て面１０３ｆの磁石部材１０３ｇと対向しない側の面は、それぞれ異なる反射率を有する。
【００２６】
例えば、各裏当て面は、白色、黒色、灰色、赤色、緑色、青色等の異なる色を有することにより、異なる反射率を有する。例えば、白色の反射率は７５％であり、黒色の反射率は３％であり、灰色の反射率は４０％であり、赤色の反射率は２０％であり、緑色の反射率は４０％であり、青色の反射率は３０％である。または、各裏当て面は、光沢加工、マット加工等の異なる表面処理がされている表面状態を有することにより、異なる反射率を有してもよい。例えば、光沢加工がされている白色の裏当て面の反射率は７５％であり、マット加工がされている白色の裏当て面の反射率は６０％である。なお、各反射率は、上記した値に対して所定幅の範囲内で変化してもよい。
【００２７】
磁石部材１０３ｇは、アルニコ磁石、フェライト磁石、ネオジム磁石等の永久磁石である。
【００２８】
図４は、筐体１０１から外した原稿カバー１０２を下側から見た斜視図である。
【００２９】
図４に示すように、原稿カバー１０２は、下面１０２ａに、係止部材１０２ｂ、磁性部材１０２ｃ、係合部材１０２ｄ及びストッパ１０２ｅ等を有する。
【００３０】
係止部材１０２ｂは、原稿カバー１０２に設けられた、リング部材１０４に当接する当接部の一例であり、リング部材１０４を係止させる。係止部材１０２ｂは、リング部材１０４と同数だけ設けられる。リング部材１０４は、ゴム等の弾性部材で形成され、リング部材１０４を挟持可能な凹部１０２ｆを有する。
【００３１】
磁性部材１０２ｃは、複数の裏当て部材１０３が有する磁石部材１０３ｇと引き付けあう磁性部材であり、接着剤等により、原稿カバー１０２に貼り付けられる。磁性部材１０２ｃは、鉄、コバルト、ニッケル、ガドリニウム等の強磁性体である。磁性部材１０２ｃの数は、一つ以上であればいくつでもよい。なお、原稿カバー１０２と裏当て部材１０３は、互いに引き付けあえば、どのように構成されてもよく、例えば、原稿カバー１０２は、磁性部材１０２ｃの代わりに、永久磁石である磁石部材を有してもよい。また、裏当て部材１０３が磁石部材１０３ｇの代わりに磁性部材を有し、原稿カバー１０２が磁性部材１０２ｃの代わりに磁石部材を有してもよい。
【００３２】
係合部材１０２ｄは、原稿カバー１０２が筐体１０１に対して開閉可能になるように、筐体１０１に回転可能に係合する。
【００３３】
ストッパ１０２ｅは、複数の裏当て部材１０３の角を突き当てるための部材である。なお、ストッパ１０２ｅは、省略されてもよい。
【００３４】
図５は、図４に示した原稿カバー１０２に複数の裏当て部材１０３を装着させた状態を示す模式図である。
【００３５】
図５に示すように、リング部材１０４を係止部材１０２ｂに係止させることにより、複数の裏当て部材１０３は原稿カバー１０２に装着される。係止部材１０２ｂは複数の裏当て部材１０３の位置決め部としても機能し、リング部材１０４を係止部材１０２ｂに係止させることにより、原稿カバー１０２に対する複数の裏当て部材１０３の位置（特に図５の矢印Ａ１の方向の位置）を固定させることができる。これにより、裏当て部材１０３をガラス板１０１ｂに対向する位置に確実に配置することが可能となる。
【００３６】
また、複数の裏当て部材１０３の角の内、突片部１０３ｂが形成された辺に対向する辺側に位置する二つの角は、ストッパ１０２ｅに突き当てられる。これにより、複数の裏当て部材１０３が固定され、複数の裏当て部材１０３の位置ずれを防止することができる。
【００３７】
この状態において、各裏当て部材１０３の磁石部材１０３ｇと、原稿カバー１０２の磁性部材１０２ｃが引き付けあうため、複数の裏当て部材１０３は原稿カバー１０２に張り付いて保持される。
【００３８】
図６Ａ、６Ｂは、係止部材１０２ｂとリング部材１０４の関係について説明するための模式図である。図６Ａは、図５の矢印Ａ３の方向から係止部材１０２ｂ及びリング部材１０４を見た模式図であり、図６Ｂは、図５の矢印Ａ４の方向から係止部材１０２ｂ及びリング部材１０４を見た模式図である。
【００３９】
図６Ａ及び図６Ｂに示すように、リング部材１０４を係止部材１０２ｂの凹部１０２ｆに嵌合させることにより、係止部材１０２ｂはリング部材１０４を係止させる。なお、リング部材１０４は係止部材１０２ｂに係止する形状であれば、どのような形状でもよく、矩形状又は円形状でもよい。
【００４０】
図６Ｃは、係止部材１０２ｂの他の例について説明するための模式図である。
【００４１】
図６Ｃに示す例では、原稿カバー１０２に、係止部材１０２ｂに係止させたリング部材１０４を突き当てるための突き当て部１０２ｇが設けられている。突き当て部１０２ｇにリング部材１０４を突き当てることにより、原稿カバー１０２に対する複数の裏当て部材１０３の位置（特に図５の矢印Ａ２の方向の位置）を固定させることが可能となる。これにより、裏当て部材１０３をガラス板１０１ｂに対向する位置に、より確実に配置することが可能となる。また、この場合、リング部材１０４の形状を矩形状にすることにより、突き当て部１０２ｇとリング部材１０４の接合面を大きくし、原稿カバー１０２に対する複数の裏当て部材１０３の位置をより安定させることが可能となる。
【００４２】
利用者は、複数の裏当て部材１０３の内、ガラス板１０１ｂと対向させる裏当て部材１０３を容易に切り替えることが可能となり、読取対象の原稿の背景色に応じて、複数の裏当て部材１０３を柔軟に変更することが可能となる。
【００４３】
なお、利用者は、原稿カバー１０２を開いた状態で、筐体１０１のガラス板１０１ｂ上に複数の裏当て部材１０３を載置してから、原稿カバー１０２を閉じてもよい。その場合、原稿カバー１０２を閉じたときに、リング部材１０４が係止部材１０２ｂに嵌合して、複数の裏当て部材１０３が原稿カバー１０２に装着される。これにより、利用者は、複数の裏当て部材１０３を原稿カバー１０２に容易にセットすることができる。
【００４４】
また、その場合、筐体１０１の上面に、複数の裏当て部材１０３の角の内の一つ以上の角を突き当てるための突き当て部を設けてもよい。これにより、利用者は、筐体１０１上の適切な位置に複数の裏当て部材１０３を載置することが可能となり、より確実に原稿カバー１０２に複数の裏当て部材１０３を装着させることが可能となる。
【００４５】
図７は、原稿カバー１０２を閉じた状態の原稿読取装置１００の、図１におけるＡ−Ａ’線断面図である。
【００４６】
図７に示すように、筐体１０１は、撮像ユニット１０５を有する。撮像ユニット１０５は、ガラス板１０１ｂをはさんで、閉じた状態の原稿カバー１０２及び原稿カバー１０２に装着された複数の裏当て部材１０３と対向する位置に設けられる。撮像ユニット１０５は、ガラス板１０１ｂと平行であり且つ図７の矢印Ａ５の方向と直交する方向において、ガラス板１０１ｂの一端から他端まで撮像できるように延伸している。また、撮像ユニット１０５は、図７の矢印Ａ５の方向に沿って、ガラス板１０１ｂの一端から他端まで撮像できるように移動可能に設けられる。
【００４７】
撮像ユニット１０５は、撮像装置１０５ａ、照明装置１０５ｂ及びミラー１０５ｃ等を有する。
【００４８】
撮像装置１０５ａは原稿読取部の一例である。撮像装置１０５ａは、主走査方向に直線状に配列されたＣＣＤ（Charge Coupled Device）による撮像素子を備える縮小光学系タイプの撮像センサを有する。この撮像センサは、ガラス板１０１ｂに載置された原稿Ｄを撮像してアナログの画像信号を生成して出力する。なお、ＣＣＤの代わりにＣＭＯＳ（Complementary Metal Oxide Semiconductor）による撮像素子を備える等倍光学系タイプのＣＩＳ（Contact Image Sensor）を利用することもできる。
【００４９】
照明装置１０５ｂは、原稿を照らす光源を有し、ガラス板１０１ｂと対向する位置に設けられる。照明装置１０５ｂから放射された光は、ガラス板１０１ｂに載置された原稿Ｄで反射し、ミラー１０５ｃを介して、撮像装置１０５ａの撮像素子に結像する。
【００５０】
図８は、原稿読取装置１００の概略構成を示すブロック図である。
【００５１】
原稿読取装置１００は、前述した構成に加えて、Ａ／Ｄ変換器１１１、操作ボタン１１２、インタフェース装置１１３、記憶装置１１４及びＣＰＵ（Central Processing Unit）１１５等をさらに有する。
【００５２】
Ａ／Ｄ変換器１１１は、撮像装置１０５ａから出力されたアナログの画像信号をアナログデジタル変換してデジタルの画像データを生成し、ＣＰＵ１１５に出力する。このデジタルの画像データが読取画像として用いられる。
【００５３】
インタフェース装置１１３は、例えばＵＳＢ（Universal Serial Bus）等のシリアルバスに準じるインタフェース回路を有する。インタフェース装置１１３は、不図示の情報処理装置（例えば、パーソナルコンピュータ、携帯情報端末等）と電気的に接続して読取画像及び各種の情報を送受信する。また、インタフェース装置１１３の代わりに、無線信号を送受信するアンテナと、所定の通信プロトコルに従って、無線通信回線を通じて信号の送受信を行うための無線通信インタフェース回路とを有する通信装置が用いられてもよい。所定の通信プロトコルは、例えば無線ＬＡＮ（Local Area Network）である。
【００５４】
記憶装置１１４は、ＲＡＭ（Random Access Memory）、ＲＯＭ（Read Only Memory）等のメモリ装置、ハードディスク等の固定ディスク装置、又はフレキシブルディスク、光ディスク等の可搬用の記憶装置等を有する。また、記憶装置１１４には、原稿読取装置１００の各種処理に用いられるコンピュータプログラム、データベース、テーブル等が格納される。コンピュータプログラムは、コンピュータ読み取り可能な可搬型記録媒体から、公知のセットアッププログラム等を用いて記憶装置１１４にインストールされてもよい。可搬型記録媒体は、例えばＣＤ−ＲＯＭ（compact disk read only memory）、ＤＶＤ−ＲＯＭ（digital versatile disk read only memory）等である。さらに、記憶装置１１４には、読取画像が格納される。
【００５５】
ＣＰＵ１１５は、予め記憶装置１１４に記憶されているプログラムに基づいて動作する。なお、ＣＰＵ１１５に代えて、ＤＳＰ（digital signal processor）、ＬＳＩ（large scale integration）等が用いられてよい。また、ＣＰＵ１１５に代えて、ＡＳＩＣ（Application Specific Integrated Circuit）、ＦＰＧＡ（Field-Programming Gate Array）等が用いられてもよい。
【００５６】
ＣＰＵ１１５は、撮像装置１０５ａ、Ａ／Ｄ変換器１１１、操作ボタン１１２、インタフェース装置１１３及び記憶装置１１４等と接続され、これらの各部を制御する。ＣＰＵ１１５は、撮像装置１０５ａの原稿読取制御等を行い、読取画像を取得する。
【００５７】
以上詳述したように、利用者は、原稿読取装置１００において、読取対象の原稿の背景色に応じて、複数の裏当て部材１０３を柔軟に変更することが可能となった。これにより、原稿読取装置１００は、読取画像から原稿のエッジの抽出又は除去を適切に行ったり、裏当て部材の裏写りを適切に防止することが可能となった。また、複数の裏当て部材１０３を一つのユニットとして連結させることにより、各裏当て部材の小型化、保管場所の省スペース化、並びに、裏当て部材の切り替えに要する時間及び作業量の低減が可能となった。さらに、複数の裏当て部材１０３をまとめて保管しておくことが可能となり、裏当て部材の紛失等を防止することが可能となった。
【００５８】
（第２実施形態）
図９は、第２実施形態に従った原稿読取装置の一例の構成図である。本実施形態の原稿読取装置も、第１実施形態に従った原稿読取装置１００と同様に、イメージスキャナ等の原稿読取装置２００として構成される。
【００５９】
原稿読取装置２００は、筐体２０１、原稿カバー２０２、複数の裏当て部材２０３及びシート部材２０４等を有する。
【００６０】
筐体２０１は、上面２０１ａに、ガラス板２０１ｂ及び凹部２０１ｃ等を有する。
【００６１】
ガラス板２０１ｂは、読取対象である原稿を載置する部材である。
【００６２】
凹部２０１ｃは、上面２０１ａにおいてガラス板２０１ｂが配置されていない位置であり、且つ、原稿カバー２０２が閉じられたときに、原稿カバー２０２に設けられた突起部材２０２ｂに対向する位置に設けられる。原稿カバー２０２が閉じられたときに突起部材２０２ｂは凹部２０１ｃ内に納まるため、裏当て部材２０３がガラス板２０１ｂに適切に接することが可能となる。
【００６３】
原稿カバー２０２は、筐体２０１に対して開閉可能に設けられ、開いた状態では筐体２０１の上面２０１ａに原稿を載置可能となり、閉じた状態では下面２０２ａがガラス板２０１ｂの下部（筐体２０１内）に設けられた撮像ユニットと対向する。
【００６４】
原稿カバー２０２は、下面２０２ａに突起部材２０２ｂ等を有する。突起部材２０２ｂは、原稿カバー２０２が閉じられたときに、筐体２０１に設けられた凹部２０１ｃに対向する位置に設けられる。
【００６５】
複数の裏当て部材２０３は、原稿カバー２０２の下面２０２ａに、原稿カバー２０２に対して着脱可能に設けられる。
【００６６】
シート部材２０４は、連結部の一例であり、複数の裏当て部材１０３を連結する。
【００６７】
図１０Ａ、１０Ｂは、複数の裏当て部材２０３及びシート部材２０４について説明するための図であり、原稿カバー２０２から取り外された状態の複数の裏当て部材２０３及びシート部材２０４を示す。図１０Ａは複数の裏当て部材２０３及びシート部材２０４の平面図であり、図１０Ｂは、図１０ＡのＤ−Ｄ’線断面図である。
【００６８】
図１０Ａ、１０Ｂに示すように、複数の裏当て部材２０３は、六枚の裏当て部材２０３を有する。なお、複数の裏当て部材１０３の枚数は、二枚以上であれば何枚でもよい。各裏当て部材２０３は、平面状に形成され、略矩形の形状を有する。
【００６９】
シート部材２０４は、平面状に形成され、略矩形の形状を有する可撓性の部材である。また、シート部材２０４は、アルニコ磁石、フェライト磁石、ネオジム磁石等の永久磁石である磁石部材である。シート部材２０４は、折り畳むことが可能であり、図１０Ａ、１０Ｂに示す例では、三つ折りに折り畳まれて使用される。シート部材２０４は、折り畳まれた各面の中央部に複数の裏当て部材２０３のそれぞれを接着剤等により貼り付けることにより複数の裏当て部材２０３を連結する。また、折り畳まれた各面の端部には、貫通孔２０４ａが形成されている。貫通孔２０４ａの数は一つ以上であればいくつでもよい。各貫通孔２０４ａの円周部分には、貫通孔２０４ａの摩耗又は損傷を防止するために、カシメ、シール、プラスチック等の保護部材２０４ｂが設けられている。
【００７０】
各裏当て部材２０３のシート部材２０４に張り付けられていない側の面は、原稿カバー２０２が閉じられた状態でガラス板２０１ｂを介して撮像ユニットと対向するように原稿カバー２０２に装着され得る。各裏当て部材２０３のシート部材２０４に張り付けられていない側の面は、それぞれ異なる反射率を有する。
【００７１】
図１１は、筐体２０１から外した原稿カバー２０２を下側から見た斜視図である。
【００７２】
図１１に示すように、原稿カバー２０２は、下面２０２ａに、突起部材２０２ｂ、磁性部材２０２ｃ及び係合部材２０２ｄ等を有する。
【００７３】
突起部材２０２ｂは、原稿カバー２０２に設けられた、シート部材２０４に当接する当接部の一例であり、シート部材２０４を係止させる。突起部材２０２ｂは、折り畳まれた状態のシート部材２０４の貫通孔２０４ａによる穴の数と同数だけ設けられる。
【００７４】
磁性部材２０２ｃは、原稿カバー２０２の一部の一例である。磁性部材１０２ｃは、シート部材２０４と引き付けあう磁性部材であり、接着剤等により、原稿カバー２０２に貼り付けられる。磁性部材２０２ｃは、鉄、コバルト、ニッケル、ガドリニウム等の強磁性体である。磁性部材２０２ｃの数は、一つ以上であればいくつでもよい。なお、原稿カバー２０２とシート部材２０４は、互いに引き付けあえば、どのように構成されてもよく、例えば、原稿カバー２０２は、磁性部材２０２ｃの代わりに、永久磁石である磁石部材を有してもよい。また、シート部材２０４が磁石部材でなく磁性部材であり、原稿カバー２０２が磁性部材２０２ｃの代わりに磁石部材を有してもよい。
【００７５】
係合部材２０２ｄは、原稿カバー２０２が筐体２０１に対して開閉可能になるように、筐体２０１に回転可能に係合する。
【００７６】
図１２は、図１１に示した原稿カバー２０２に複数の裏当て部材２０３を装着させた状態を示す模式図である。図１３は、図１２のＥ−Ｅ’線断面図である。
【００７７】
図１２、１３に示すように、突起部材２０２ｂを貫通孔２０４ａに貫通させることにより、複数の裏当て部材２０３は原稿カバー２０２に装着される。突起部材２０２ｂは複数の裏当て部材２０３の位置決め部としても機能し、貫通孔２０４ａを突起部材２０２ｂの位置に係止させることにより、原稿カバー２０２に対する複数の裏当て部材２０３の位置を固定させることが可能となる。これにより、裏当て部材２０３をガラス板２０１ｂに対向する位置に確実に配置することが可能となる。
【００７８】
この状態において、シート部材２０４と、原稿カバー２０２の磁性部材２０２ｃが引き付けあうため、複数の裏当て部材２０３は原稿カバー２０２に張り付いて保持される。
【００７９】
利用者は、複数の裏当て部材２０３の内、ガラス板２０１ｂと対向させる裏当て部材２０３を容易に切り替えることが可能となり、読取対象の原稿の背景色に応じて、複数の裏当て部材２０３を柔軟に変更することが可能となる。
【００８０】
なお、利用者は、原稿カバー２０２を開いた状態で、筐体２０１のガラス板２０１ｂ上に複数の裏当て部材２０３を載置してから、原稿カバー２０２を閉じてもよい。その場合、原稿カバー１０２を閉じたときに、突起部材２０２ｂが貫通孔２０４ａに貫通して、複数の裏当て部材２０３が原稿カバー２０２に装着される。これにより、利用者は、複数の裏当て部材２０３を原稿カバー２０２に容易にセットすることができる。
【００８１】
また、その場合、筐体２０１の上面に、複数の裏当て部材２０３の角の内の一つ以上の角を突き当てるための突き当て部を設けてもよい。これにより、利用者は、筐体２０１上の適切な位置に複数の裏当て部材２０３を載置することが可能となり、より確実に原稿カバー２０２に複数の裏当て部材２０３を装着させることが可能となる。
【００８２】
図１４は、原稿カバー２０２を閉じた状態の原稿読取装置２００の、図９におけるＣ−Ｃ’線断面図である。
【００８３】
図１４に示すように、筐体２０１は、撮像ユニット２０５を有する。撮像ユニット２０５の構成は、撮像ユニット１０５の構成と同様であるため、詳細な説明を省略する。
【００８４】
また、原稿読取装置２００の概略構成は、原稿読取装置１００の概略構成と同様であるため詳細な説明を省略する。
【００８５】
以上詳述したように、利用者は、原稿読取装置２００においても、読取対象の原稿が有する色に応じて、複数の裏当て部材２０３を柔軟に変更することが可能となった。また、原稿読取装置２００においても、原稿読取装置１００が有する効果と同様の効果を得ることが可能となった。
【符号の説明】
【００８６】
１００、２００    原稿読取装置
１０２、２０２    原稿カバー
１０２ｂ    係止部材
１０２ｃ、２０２ｃ    磁性部材
２０２ｂ    突起部材
１０３、２０３    裏当て部材
１０３ｃ、２０４ａ    貫通孔
１０３ｄ、２０４ｂ    保護部材
１０３ｇ    磁石部材
１０４    リング部材
２０４    シート部材
【図１】
0006636177.tif 000002
【図２Ａ】
0006636177.tif 000003
【図２Ｂ】
0006636177.tif 000004
【図２Ｃ】
0006636177.tif 000005
【図３】
0006636177.tif 000006
【図４】
0006636177.tif 000007
【図５】
0006636177.tif 000008
【図６Ａ】
0006636177.tif 000009
【図６Ｂ】
0006636177.tif 000010
【図６Ｃ】
0006636177.tif 000011
【図７】
0006636177.tif 000012
【図８】
0006636177.tif 000013
【図９】
0006636177.tif 000014
【図１０Ａ】
0006636177.tif 000015
【図１０Ｂ】
0006636177.tif 000016
【図１１】
0006636177.tif 000017
【図１２】
0006636177.tif 000018
【図１３】
0006636177.tif 000019
【図１４】
0006636177.tif 000020